(57)【要約】      （修正有）【課題】  画像形成装置の搬送路でジャムが発生したとき記録媒体をマガジンに巻き戻して再利用する場合に、記録媒体の先端部に損傷を受けた部分が残らないようにし、カット済みの記録媒体が搬送路から脱落しないようにして容易に除去できるようにする。【解決手段】  制御部１７が、ジャム検出手段でジャムの発生が検知された際に、記録媒体３４先端部の引き出し長さ量の方が最短送り長さ量よりも長い場合には、記録媒体３４先端部をそれ以上引き出すことなくカッタ３５、３６で切断する処理と、記録媒体３４先端部の引き出し長さ量が最短送り長さ量未満の場合には、記録媒体３４先端部を最短送り長さ量以上に引き出してからカッタ３５、３６で切断する処理と、カッタ３５、３６で切断後の記録媒体３４の先端部をマガジン２０ａ、２０ｂ内に引き戻すリワインド処理とを実行する。【選択図】  図１
2006027056.tif 000002
【特許請求の範囲】
【請求項１】
ロール状に巻回された長尺シート状の記録媒体を収納したマガジンと、
前記マガジンから、画像形成のための各処理部を順次巡るように配設された搬送路と、
前記搬送路上に引き出された記録媒体を指定されたサイズに切断するカッタと、
前記記録媒体を搬送する前記搬送路上でジャムの発生を検知するため設置されたジャム検出手段検出手段と、
前記ジャム検出手段でジャムの発生が検知された際に、前記マガジンから引き出された長尺シート状の前記記録媒体先端部の引き出し長さ量と最短送り長さ量とを比較して、前記記録媒体先端部の引き出し長さ量の方が最短送り長さ量よりも長い場合に少なくとも前記記録媒体先端部をそれ以上引き出すことなく前記カッタで切断する処理と、前記記録媒体先端部の引き出し長さ量が最短送り長さ量未満の場合に前記記録媒体先端部を最短送り長さ量以上に引き出してから前記カッタで切断する処理と、前記カッタで切断後の前記記録媒体の先端部を前記マガジン内に引き戻すリワインド処理とを実行する制御部と、
を有することを特徴とする画像形成装置。
【請求項２】
前記制御部が、前記記録媒体先端部の引き出し長さ量の方が最短送り長さ量よりも長いと判断したときに前記記録媒体先端部の引き出しを停止し、前記カッタで切断する処理を行うことを特徴とする請求項１に記載の画像形成装置。
【発明の詳細な説明】
【技術分野】
【０００１】
この発明は、感光材料に対し、レーザビームを変調しながらを走査露光して潜像を形成するレーザ露光部を装置内部に備え、このレーザ露光部の露光性能を安定させるための温度調整を行うように構成した画像形成装置に関する。
【背景技術】
【０００２】
一般に、画像形成装置には、印画紙等の感光材料に対して、レーザ露光部から画像情報に対応して変調されたレーザビームを照射して走査露光した後、発色現像、漂白定着、水洗、乾燥の各処理を施して感光材料上に画像を形成する、いわゆるデジタルミニラボと呼ばれるものがある。
【０００３】
このような画像形成装置には、感光材料として長尺の印画紙をロール状に巻装したロール紙を利用するものがある。このようなロール紙を利用する画像形成装置では、ロール紙を引き出して搬送路に沿って搬送させ、搬送路に設けられたカッターにより、ロール紙の先端から指定されたサイズの感光材料にカットして、このカットされた感光材料に露光処理して潜像を形成し、潜像が形成された感光材料発色現像、漂白定着、水洗、乾燥の各処理を施して画像を形成した後、排出する。
【０００４】
従来、このようなロール紙を利用した画像形成装置では、 ロール紙を引き出して搬送中に、搬送路でジャムが発生（搬送不能状態の発生）した場合に、カッターを通過した後のロール紙先端の位置に対応して異なるジャム処理動作を行う手段が提案されている。
【０００５】
この従来の、カッターを通過した後のロール紙先端の位置に対応して異なるジャム処理動作を行う手段では、搬送経路上の検知手段がロール紙の先端を検知してない場合、カッターを作動させないでロール紙を巻き戻す。この場合には、ロール紙の先端の位置が、カッターから指定された最小サイズの長さまでの間位置にあり、ロール紙が汚れていない状態なので、回収して再度、使用する。
【０００６】
また、この手段では、搬送路でジャムが発生した時、搬送経路上の所定位置にある検知手段がロール紙の先端を検知している場合には、カッターを作動してロール紙をカットする。この場合には、ロール紙の引き出された部分が最小サイズの長さに達し、画像形成のための処理が行なわれたために汚れた状態となっているから、再利用することができないので、ロール紙をカットしてできたカット済みの感光材料を廃棄するものである（例えば、特許文献１参照。）。
【０００７】
しかし、上述のような従来のカッターを通過した後のロール紙先端の位置に対応して異なるジャム処理動作を行う手段では、ロール紙が画像形成処理のため汚れていない状態のときにそのまま巻き戻して再利用することになる。この場合には、引き出されたロール紙の先端が、搬送路上を搬送されているときに搬送路でジャムが発生し、先行して搬送されているはずのカッターでカットされた感光材料に追突して、この引き出されたロール紙の先端部に変形等の損傷（ダメージ）を受けている可能性がある。
【０００８】
このように先端部に損傷を受けたロール紙をそのまま巻き戻して再利用する場合には、変形等の損傷を受けた部分に渡って画像形成処理がなされ、不完全で商品価値がないものができたり、ロール紙先端部の損傷に起因して搬送路を搬送中にジャミングを生じる虞がある。
【０００９】
そこで、上述のカッターを通過した後のロール紙先端の位置に対応して異なるジャム処理動作を行う手段を利用するものにおいて、ロール紙が画像形成処理のため汚れていない状態のときでも、巻き戻す動作の変わりに、その場でロール紙の搬送を停止し、カッターでカットすることが考えられる。このように処理する場合には、ロール紙をカットしてできたカット済みの感光材料の搬送方向に対する長さをコントロールできないので、ロール紙をカットしてできたカット済みの感光材料の搬送方向長さが、搬送路を構成するため並べて配置された複数の搬送ローラ対の間隔より短いと、短いカット済みの感光材料が隣接して配置された搬送ローラ対の間で、これらから同時に離脱して搬送路から脱落してしまい、短いカット済みの感光材料の除去が困難となるという問題がある。
【特許文献１】特開２００３−５０４９０号公報
【発明の開示】
【発明が解決しようとする課題】
【００１０】
本発明は、上述した問題に鑑み、ロール状に巻回された長尺シート状の記録媒体を引き出して搬送中に搬送路でジャムが発生したため記録媒体を巻き戻して再利用する場合に、記録媒体の先端部に、損傷を受けた部分が残らないように引き出された記録媒体の先端部をカットして除去すると共に、このように長尺シート状の記録媒体をカットしてできたカット済みの記録媒体を搬送路から脱落しないようにして容易に除去できるようにした画像形成装置を新たに提供することを目的とする。
【課題を解決するための手段】
【００１１】
本発明の請求項１に記載の画像形成装置は、ロール状に巻回された長尺シート状の記録媒体を収納したマガジンと、マガジンから、画像形成のための各処理部を順次巡るように配設された搬送路と、搬送路上に引き出された記録媒体を指定されたサイズに切断するカッタと、記録媒体を搬送する搬送路上でジャムの発生を検知するため設置されたジャム検出手段と、ジャム検出手段でジャムの発生が検知された際に、マガジンから引き出された長尺シート状の記録媒体先端部の引き出し長さ量と最短送り長さ量とを比較して、記録媒体先端部の引き出し長さ量の方が最短送り長さ量よりも長い場合に少なくとも記録媒体先端部をそれ以上引き出すことなくカッタで切断する処理と、記録媒体先端部の引き出し長さ量が最短送り長さ量未満の場合に記録媒体先端部を最短送り長さ量以上に引き出してからカッタで切断する処理と、カッタで切断後の記録媒体の先端部をマガジン内に引き戻すリワインド処理とを実行する制御部と、を有することを特徴とする。
【００１２】
請求項２に記載の発明は、請求項１に記載の画像形成装置において、制御部が、記録媒体先端部の引き出し長さ量の方が最短送り長さ量よりも長いと判断したときに記録媒体先端部の引き出しを停止し、カッタで切断する処理を行うことを特徴とする。
【００１３】
前述のように構成することにより、搬送路上でジャムが発生した際に、マガジンから引き出された長尺シート状の記録媒体先端部の引き出し長さ量を、最短送り長さ量以上にしてから、カッタで記録媒体を切断する。このときカッタで切断されて搬送路上に残った記録媒体は、搬送方向に対して最短送り長さ量以上の長さを持つから、搬送路上から脱落することなく、搬送路上に残った状態となる。よって、ジャミングを解消するため、搬送路上に残っているカットされた感光材料を取り出す作業の際に、搬送路上でカットされた感光材料を容易に発見して難なく取り出すことができる。また、記録媒体先端部の引き出し長さ量の方が最短送り長さ量よりも長い場合に少なくとも記録媒体先端部をそれ以上引き出すことなくカッタで切断するので、ジャムが発生した後に搬送路上にさらに長く記録媒体が引き出されてカットされることを防止し、余計な記録媒体の損害が発生しないようにできる。さらに、一旦搬送路上へ引き出されてからマガジン内へリワインドされた記録媒体の先端部は、ダメージを受けた可能性のある部分が必ずカッタで切断されているので、次に、このマガジンから記録媒体を引き出して再利用するときに、確実に先端部にダメージを受けていない記録媒体を使用することができる。
【発明の効果】
【００１４】
本発明の画像形成装置によれば、ロール状に巻回された長尺シート状の記録媒体を引き出して搬送中に、搬送路でジャムが発生した場合に、引き出された記録媒体の先端部をカットして記録媒体の先端部に損傷を受けた部分が残らないように除去してから記録媒体を巻き戻して再利用できる。さらに、このように長尺シート状の記録媒体をカットしてできた、カット済みの記録媒体を搬送路から脱落しないようにして容易に除去できるという効果がある。
【発明を実施するための最良の形態】
【００１５】
本発明の画像形成装置に係わる実施の形態について、図１乃至図４を参照しながら説明する。この実施の形態に係る画像形成装置（プリンタプロセサ）は、いわゆるディジタルラボシステム用の出力機１０として構成されている。
【００１６】
このディジタルラボシステムは、画像入力装置１１及び画像処理装置１３を具備する入力機１５と、レーザプリンタ部１２及びプロセッサ部１４を具備する出力機１０との組み合わせで構成されている。
【００１７】
この入力機１５における画像入力装置１１は、ネガフィルムやリバーサルフィルム等の写真フィルムに記録されているフィルム画像の投影光をＣＣＤイメージセンサなどの撮像素子を用いて光電的に読み取るためのものであり、各種サイズの写真フィルムのフィルム画像を読取対象とする。この画像入力装置１１は、読取対象の写真フィルムに記録された画像の投影光をＣＣＤイメージセンサなどで光電的に読み取ることで画像データを生成し、あるいはメモリカードなどの記録媒体に記録された画像データを読み出し、若しくは通信回線を介して他の情報処理機器から受信することで、画像データを取得する。この画像データは、画像入力装置１１から画像処理装置１３に送られる。
【００１８】
画像処理装置１３は、入力された画像データに対して、カラーバランス補正や濃度補正などの画像処理を行って記録用画像データを生成して、出力機１０のレーザプリンタ部１２へ出力する。
【００１９】
出力機１０におけるレーザプリンタ部１２は、Ｒ（赤）、Ｇ（緑）、Ｂ（青）のレーザビームを発振するレーザ光源を備えており、入力機の画像処理部から入力された記録用画像データに応じて変調したレーザビームを印画紙に照射して走査露光することにより印画紙に潜像を形成する。
【００２０】
出力機１０におけるプロセッサ部１４は、レーザプリンタ部１２で潜像が形成された印画紙に対し、発色現像、漂白定着及び水洗の液処理を施してから、乾燥処理をして、画像が顕在化した印画紙の完成品を得る。
【００２１】
図１及び図２に示すように、出力機１０におけるレーザプリンタ部１２は、搬送路１６上に引き出されて所定長にカットされたカット記録紙を、この搬送路１６上を搬送することにより画像形成のための各処理部を順次巡るように搬送しながら、画像データに基づいて強度変調されたレーザビーム（記録光）にて画像記録等を行うものである。このレーザプリンタ部１２の搬送路１６上には、用紙の供給部２０に続く搬送方向の上流側から順に、画像形成のための各処理部である、カッタ搬送部２１、裏印字部２２、レジスト部２４、画像記録部２６、副走査受け部２８、振分部３０及び搬出部３２を配置する。ロール状に巻回された長尺シート状の記録媒体（感光材料、印画紙等）である感光性記録紙３４又はこれを所定サイズにカットしたカット記録紙（カット記録媒体）を搬送するための搬送路１６に沿った各部位には、それぞれ駆動ローラとニップローラとから構成される搬送ローラ対１９が配設されている。
【００２２】
図１に示すように、出力機１０を構成する各機器は、図示しない配線を介して制御部１７に接続されており、この制御部（ＣＰＵ）１７によって出力機１０全体の動作が制御される。
【００２３】
図１及び図２に示すように、出力機１０におけるレーザプリンタ部１２内に配置された用紙の供給部２０には、記録面を外側にしてロール状に巻き回された長尺な感光性記録紙３４が遮光性を有する筐体に収納された第１マガジン２０ａと、第２マガジン２０ｂとをセットする。第１、第２の各マガジン２０ａ、２０ｂには、感光性記録紙３４をそれぞれ搬送路１６上に引き出して裏印字部２２に向けて搬送するための引出ローラ対２３ａ、２３ｂと、感光性記録紙３４を機械的に検出する構成のアクチェータセンサ３１ａ、３１ｂとが設けられている。
【００２４】
このカッタ搬送部２１では、第１マガジン２０ａ用の引出ローラ対２３ａを図示しない第１マガジン用のパルスモータで駆動し、と、第２マガジン２０ｂ用の引出ローラ対２３ｂを図示しない第２マガジン用のパルスモータで駆動するよう構成する。
【００２５】
カッタ搬送部２１には、第１、第２の各マガジン２０ａ、２０ｂの出口からそ第１、第２の各マガジン２０ａ、２０ｂれぞれの搬送路１６上に所定長だけ離れた位置に、感光性記録紙３４を指定されたサイズに切断するためロータリカッタ等のカッタ３５、３６を配置する。各カッタ３５、３６は、それぞれ制御部１７からの制御信号を受けて駆動し、プリントサイズに合わせて所定長だけ送り出された感光性記録紙３４を切断してカット記録紙を形成する。プリントサイズとしては、例えば、Ｌ（８９Ｘ１２７）、パノラマ（８９Ｘ２５４）、２Ｌ（１２７×１７８）、８切り（１６５×２１６）、６切り（２０３×２５４）、４切り（２５４×３０５）などがあり、本実施例では、例えば、搬送方向と直交する方向の幅が８９、９５、  １０２、  １１７、  １２０、  １２７、  １３０、  １５２、１６５、１７８、２０３、２１０、２１６、２５４、３０５のカット記録紙に対応する。なお、単位は何れもｍｍである。
【００２６】
このカッタ搬送部２１には、カッタ３５の上流側近接位置と、カッタ３６の上流側近接位置とに、それぞれ投受光センサ３３ａ、３３Ｂを配置する。さらに、カッタ３５の下流側近接位置には、アクチェータセンサ３７を配置する。カッタ３６の下流側近接位置には、投受光センサ３９を配置する。
【００２７】
これらの投受光センサ３３ａ、３３Ｂ、３９は、例えば、発光ダイオードとフォトダイオードとからなる光学センサで構成できる。これらの投受光センサ３３ａ、３３Ｂ、３９は、それぞれ発光ダイオードとフォトダイオードとの間をカット記録紙が通過している間だけ出力が変化するので、これらの投受光センサ３３ａ、３３Ｂ、３９を利用してカット記録紙の先端又は後端の通過を検出することができる。なお、このレーザプリンタ部１２では、後述する他の投受光センサも同様に発光ダイオードとフォトダイオードとを利用して構成する。
【００２８】
裏印字部２２は、写真の撮影日、プリント日、コマ番号、各種ＩＤなどのプリント情報を、カット記録紙の非記録面（露光面と反対側の面）に記録する裏印字ヘッド３８と、感光性記録紙３４を検出するためのアクチェータセンサ４１とを備える。裏印字ヘッド３８としては、後に行われる湿式の現像処理に耐性のあるものであればドットインパクトヘッド、インクジェットヘッド、熱転写プリントヘッドなどの公知のプリントヘッドを用いることができる。
【００２９】
レジスト部２４は、画像記録部２６における露光位置・角度ズレを防止するために、カット記録紙の傾き及び幅方向の位置を調整するレジスト用ローラ対４０と、このレジスト用ローラ対４０の後に配置される複数の搬送ローラ対１９と、感光性記録紙３４を検出するための投受光センサ４７とから構成される。レジスト用ローラ対４０による傾き及び幅方向位置を調整する方法は、チルトレジスト、トップレジスト、及びサイドレジストなどの公知の方法を用いることができる。
【００３０】
画像記録部２６は、露光ユニット４２と、副走査ローラ対４４、４６を具備する副走査部４３と、カット記録紙の通過を検出する投受光センサ５１、５３とから構成され、制御部１７によって動作制御される。
【００３１】
露光ユニット４２は、画像処理装置１３と接続されており、カット記録紙の先端が通過したことを投受光センサ５３が検出すると、画像データに基づいて強度変調された赤、緑、青の各光ビームＬＢを主走査方向（搬送方向と直交する方向）に走査して、カット記録紙に画像を記録する。
【００３２】
副走査部４３は、露光ユニット４２の下部に隣接して一体的に配置する。この副走査部４３の副走査ローラ対４４、４６は、光ビームＬＢによる露光光照射位置（露光位置）を挟むように搬送方向の上流側及び下流側に配置され、カット記録紙を露光光照射位置に対して所定の速度で副走査方向（搬送方向と平行な方向）に搬送する。なお、副走査ローラ対４４、４６のニップローラは、カット記録紙を挟持する位置とカット記録紙から離れる位置との間を移動する切り替え動作を可能に構成されており、投受光センサ５１、５３でカット記録紙の先端または後端を検出したときに切り替え操作される。これにより、カット記録紙の先端が下流側の副走査ローラ対４６に突き当たったり、後端が上流側の副走査ローラ対４４から抜け出る際に、カット記録紙に過度の衝撃が加わることを防止する。
【００３３】
図１及び図２に示すように、副走査受け部２８は、画像記録中に画像記録部２６から送り出されるカット記録紙の先端部を保持する複数の搬送ローラ対１９を備えており、画像記録部２６による搬送速度と同一の速度にてカット記録紙を下流側に送り出す。副走査受け部２８の各搬送ローラ対１９は、駆動ローラと、ニップ解除可能なニップローラとからなり、画像記録中のカット記録紙の先端が通過した後にカット記録紙を挟持する。これにより、カット記録紙の先端が突き当たって搬送速度が変動することを防止する。
【００３４】
振分部３０は、単列で搬送されたカット記録紙を予め定められた第１速度で搬送しながら、これを主走査方向に２列に振り分けるものである。また、搬出部３２は、振分部３０から送られるカット記録紙をプロセッサ部１４の処理速度に対応する第２速度で搬送しながらプロセッサ部１４へ送る。振分部３０と搬出部３２には、カット記録紙の在否を検出するための投受光センサ５５と、投受光センサ５７とをそれぞれ設ける。
【００３５】
出力機１０におけるプロセッサ部１４は、現像処理部６０、乾燥処理部６１、振戻部６２、およびソータ６３から構成される。現像処理部６０には、搬送路１６における搬送方向の上流側から順に、現像槽７０、漂白定着槽７１と、第１水洗槽７３、第２水洗槽７４、第３水洗槽７５、第４水洗槽７６からなる水洗槽７２とが設けられている。現像槽７０には現像液が、漂白定着槽７１には漂白定着液が、また、第１水洗槽７３〜第４水洗槽７６には洗浄水が、それぞれ所定量貯蔵されており、カット記録紙が、現像槽７０、漂白定着槽７１、および第１水洗槽７３〜第４水洗槽７６にそれぞれ設けられた搬送ラックの駆動力を受けて各処理槽７０〜７２内を搬送することで、現像・定着・洗浄の各処理が行われる。
【００３６】
乾燥処理部６１は各処理槽７０〜７２の上方に配置されており、搬送ベルトと送風ダクトとから構成されている。送風ダクトは搬送ベルトに向けてヒータで熱せられた乾燥風を吹き出して、カット記録紙を搬送ベルト側に押し付ける。この状態で送風ダクトの上を通過させることで、カット記録紙に付着した洗浄水が除去される。
【００３７】
乾燥処理部６１を通過したカット記録紙は、振戻部６２に向けて送られる。振戻部６２では、２列で搬送されたカット記録紙が単列に振り戻される。ソータ６３は、振戻部６２から送られた複数のカット記録紙をプリントジョブ毎にまとめて出力し、貯留する。
【００３８】
次に、上述のように構成した出力機１０で、搬送中にジャミング（搬送不能状態）を生じることなく正常に画像を形成する処理を行ってプリント写真を作るときの動作について説明する。この出力機１０では、プリントが指示された制御部１７が、供給部２０に装填された第１、第２の各マガジン２０ａ、２０ｂから、それぞれ感光性記録紙３４を指示されたプリントサイズに合わせて引き出し、第１、第２の各マガジン２０ａ、２０ｂに各々対応した各カッタ３５、３６をそれぞれ駆動してカット記録紙を形成する。このカット記録紙は、裏印字部２２に送られて各種の情報が記録された後、レジスト部２４においてスキューや幅方向位置が調整される。レジスト部２４を通過したカット記録紙は画像記録部２６に送られ、画像処理装置１３からの画像データに基づいて変調された光ビームＬＢによって潜像が走査露光される。
【００３９】
潜像を記録した後にカット記録紙は、副走査受け部２８を通過して振分部３０に送られる。振分部３０では、所定のサイズより大きいカット記録紙の場合には振り分けを行うことなく、単列のまま搬出部３２に向けて搬送する。一方、所定のサイズより小さいカット記録紙の場合には、カット記録紙を２列に振り分けて搬送する。
【００４０】
搬出部３２に送られたカット記録紙は、ニップ解除可能な搬送ローラ対１９によって、順次一定の搬送方向に搬送され、このカット記録紙の先端が投受光センサ５７で検出され、カット記録紙が調速ローラ対に到達するまでの時間が経過した後、調速ローラ対の搬送速度を減速するとともに、減速によるカット記録紙の弛みを吸収するため、搬送ローラ対のニップローラを解除位置にして、プロセッサ部１４の処理能力に合わせた速度に変速する。
【００４１】
図１に示すように、プロセッサ部１４は、潜像が記録されたカット記録紙に現像・定着などの処理を行ってプリント写真を形成し、その後乾燥処理部６１で乾燥されたカット記録紙を振戻部６２に送る。カット記録紙が２列に振り分けられている場合は、振戻部６２でカット記録紙を単列に振り戻し、ソータで複数枚のカット記録紙をプリントジョブ毎にまとめて、トレイ６３上に出力する。
【００４２】
次に、上述のように構成したレーザプリンタ部１２において、カット記録紙が搬送路１６上を搬送されている際にジャミングを生じた場合の、対処手段について説明する。このカット記録紙を搬送中にジャミングを生じたときの対処手段では、出力機１０全体の動作を制御する制御部（ＣＰＵ）１７によって、ジャミングを生じたときの対処動作を制御するよう構成する。このため、図３のブロック図に示すように、制御部１７には、データや指令信号等を伝達するためのバス１００を介して、ジャミングを生じたときの対処動作を行う機器を接続する。
【００４３】
このため、バス１００には、パルスモータドライバ１０２を介して、第１マガジン２０ａ用の引出ローラ対２３ａを駆動する第１マガジン用のパルスモータ１０４を接続し、さらに、パルスモータドライバ１０８を介して、第２マガジン２０ｂ用の引出ローラ対２３ｂを駆動する第２マガジン用のパルスモータ１０６を接続する。
【００４４】
また、バス１００には、第１マガジン用のカッタ３５と、第２マガジン２０ｂ用のカッタ３６と、ジャミングを生じたことを知らせるエラー表示装置１１０と、裏印字部２２にある搬送ローラ対１９を駆動するための裏印字搬送モータ１１２と、裏印字部用センサであるアクチェータセンサ４１と、レジスト部２４にある搬送ローラ対１９を駆動するためのレジスト搬送モータ１１４と、レジスト搬送部用検出センサである投受光センサ４７と、画像記録部２６にある副走査ローラ対４４、４６を駆動する副走査搬送モータ１１６と、副走査部用検出センサである投受光センサ５１及び投受光センサ５３と、副走査受け搬送モータ１１８と、振分搬送モータ１２０と、振分部用検出センサである投受光センサ５５と、搬出モータ１２２と、搬出部用検出センサである投受光センサ５７とを接続する。
【００４５】
このレーザプリンタ部１２に設置する、第１マガジン用のパルスモータ１０４と、第２マガジン用のパルスモータ１０６とは、それぞれ一旦引き出された感光性記録紙３４の先端部を対応する第１マガジン２０ａ又は第２マガジン２０ｂ内に引き戻す動作を可能に構成する。
【００４６】
また、レーザプリンタ部１２では、裏印字部用センサであるアクチェータセンサ４１と、レジスト搬送部用検出センサである投受光センサ４７と、副走査部用検出センサである投受光センサ５１及び投受光センサ５３と、振分部用検出センサである投受光センサ５５と、搬出部用検出センサである投受光センサ５７とを利用して、搬送路１６上のとの部所（エリア）でジャミングが生じたかを検出可能に構成する。例えば、ジャミングの発生を検出するジャム検出手段としては、搬送路１６上を搬送されているはずのカット記録紙が予定の時間に何れかのセンサで検出されなかったときには、その検出されなかったセンサと、搬送路１６上で搬送方向上流側直前の検出されたセンサとの間位置（ジャム発生箇所）でジャミングを生じたことを検知するジャム検出手段を利用できる。
【００４７】
この図３に示すジャミングを生じたときに対処する制御系では、図４のフローチャートに示す、ジャム処理用制御を行う。
【００４８】
このジャム処理用制御では、そのステップ２００で、ジャム発生まで待機し、レーザプリンタ部１２に配置した各センサを利用したジャミングの発生を検出する手段で搬送路１６上のどの位置でジャミングが発生したかが検出されると、次のステップ２０２へ進む。
【００４９】
ステップ２０２では、制御部１７が第１マガジン用のパルスモータ１０４又は第２マガジン用のパルスモータ１０６を駆動制御して感光性記録紙３４の先端部を搬送路１６上へ引き出している、ジャミングの発生時点での感光性記録紙３４の引き出し量を検知する。さらにステップ２０２では、ジャミングの発生時における感光性記録紙３４の引き出し長さ量と、最短送り長さ量とを比較し、ジャミングの発生時における感光性記録紙３４の引き出し長さ量の方が最短送り長さ量よりも長いと判断した場合には、ステップ２０４へ進む。
【００５０】
また、ジャミングの発生時における感光性記録紙３４の引き出し長さ量の方が最短送り長さ量よりも短い（感光性記録紙３４の引き出し長さ量が最短送り長さ量未満）と判断した場合には、ステップ２０６へ進む。
【００５１】
ここで、最短送り長さ量とは、搬送路１６上に並べて配置した各搬送ローラ対１９における相隣接する間隔のうち最短の間隔で送り動作可能なカット記録紙の搬送方向に沿った長さを言うものとする。なお、このレーザプリンタ部１２では、最短送り長さ量が８２．５ｍｍである。
【００５２】
ステップ２０６では、制御部１７が、第１マガジン用のパルスモータ１０４又は第２マガジン用のパルスモータ１０６を駆動して、ジャミング発生時に引き出していた感光性記録紙３４の先端部を、最短送り長さ量まで搬出する処理を行い、ステップ２０４へ進む。
【００５３】
このステップ２０４では、第１マガジン２０ａ又は第２マガジン２０ｂから引き出された感光性記録紙３４の先端部が、最短送り長さ量以上に引き出されて、搬送路１６上の何れかの搬送ローラ対１９で搬送可能に保持された状態にあるので、これ以上感光性記録紙３４が引き出されて余計な損紙を作らないように検知したジャミング発生位置よりも搬送方向上流側（検知したジャミング発生位置よりも用紙の供給部２０側）の搬送ローラ対１９を駆動するモータを直ちに停止する搬送停止処理をして、次のステップ２０８へ進む。
【００５４】
なお、この搬送停止処理では、第１マガジン２０ａ又は第２マガジン２０ｂから最短送り長さ量（ここでは８２．５ｍｍ）以上に引き出された感光性記録紙３４の先端部を、最短送り長さ量までリワインドさせるよう搬送ローラ対１９を駆動するモータを逆転させる制御を行ってから搬送ローラ対１９を駆動するモータを全て停止する搬送停止処理をするように制御しても良い。このように制御する場合には、ジャミングが発生したときに切り捨てる無駄な感光性記録紙３４の量を最小限に節約できる。
【００５５】
ステップ２０８では、第１マガジン２０ａ又は第２マガジン２０ｂから引き出された感光性記録紙３４の先端部を、カッタ３５又はカッタ３６によって切り離す、カッタによる用紙切断処理を行って、次のステップ２１０へ進む。
【００５６】
このようにカッタ３５又はカッタ３６によって切り離されたカット記録紙は、最短送り長さ量以上の長さを持つから、搬送路１６に並んで配置された搬送ローラ対１９に確実に保持可能なので、搬送方向に短いカット記録紙となって搬送路１６に並んで配置された搬送ローラ対１９の間だに落ちることはないから、作業者が搬送路１６上から取り出してジャミングを解消させる作業を容易に行えるようにできる。
【００５７】
このステップ２１０では、第１マガジン２０ａ用の引出ローラ対２３ａ又は第２マガジン２０ｂ用の引出ローラ対２３ｂを駆動するモータを駆動制御して、カッタ３５又はカッタ３６で切り離された感光性記録紙３４の先端部を、対応する第１マガジン２０ａ又は第２マガジン２０ｂの内部に引き戻す、リワインド処理を行って次のステップ２１２へ進む。なお、このように第１マガジン２０ａ又は第２マガジン２０ｂの内部にリワインドされた感光性記録紙３４の先端は、必ずカッタ３５又はカッタ３６でカットされているので、感光性記録紙３４の先端に、搬送路１６上を先行して搬送されていた他のカット記録紙との衝突によるダメージを残すことを確実に防止できる。すなわち、第１マガジン２０ａ又は第２マガジン２０ｂの内部にリワインドされた感光性記録紙３４にダメージ発生がないことを保証できる。さらに、感光性記録紙３４の先端部は、第１マガジン２０ａ又は第２マガジン２０ｂの内部にリワインドされて遮光状態に収納されるので、後にジャミング解消の作業のため、レーザプリンタ部１２の扉を開けて内部に光が入った場合でも、感光性記録紙３４の先端部が露光されてしまうことはない。
【００５８】
ステップ２１２では、搬送路１６上における検知したジャミング発生位置よりも搬送方向下流側（検知したジャミング発生位置よりもプロセッサ部１４側）にあったカット記録紙が、全てプロセッサ部１４内へ搬送され終わる残紙エントリー済みとなるまで待機し、ステップ２１４へ進む。
【００５９】
ここで、残紙エントリー処理を行うのは、ジャミング発生位置よりも搬送方向下流側に残っていたカット記録紙が、発生したジャミングによってダメージを受けていないものなので、画像形成の処理を完結させて完成品として出力するためである。
【００６０】
ステップ２１４では、ジャミング発生位置よりも搬送方向下流側に位置する全ての搬送ローラ対１９を駆動するモータを停止する、残紙エントリー用搬送停止の処理を実行し、次のステップ２１６へ進む。
【００６１】
ステップ２１６では、搬送路１６上でカット記録紙が搬送ローラ対１９によってニップ状態となるようにするため、裏印字部２２、レジスト部２４、副走査受け部２８及び振分部３０でニップ解除状態にある搬送ローラ対１９を全てニップ状態（ニップ圧接位置に移動した状態）に移行させると共に、画像記録部２６にある副走査ローラ対４４、４６をニップ解除位置へ移動する、ニップ用移動処理を実行し、次のステップ２１８へ進む。なお、図２に示す搬送ローラ対１９の内、想像線でローラがずらして重なるように記載されたものは、ニップ位置とニップ解除位置とへ図示しないアクチェータ等で操作されて移動可能に構成されている。
【００６２】
このステップ２１８では、制御部１７が出力機１０に備えられたエラー表示装置１１０に指令信号を送信して、使用者にジャミングの発生を知らせ、搬送路１６上に残っているジャミングしたカット記録紙を取り除く作業を促すため、例えばジャム検出位置の表示と、レーザプリンタ部１２内の搬送路１６上に残っている残紙の枚数の表示とを行う、エラー表示処理を行い、このジャム処理用制御を終了する。
【００６３】
また、このレーザプリンタ部１２では、上述したジャム処理用制御において、ジャム発生を検知した直後に、検知したジャミング発生位置が振分部３０よりも搬送方向下流側であるか否かを検出し、ジャミング発生位置が振分部３０よりも搬送方向下流側である場合には、振分部３０の搬送ローラ対１９を駆動するモータを直ちに停止するように制御して、ジャミングによる振分部３０の損傷を抑制する制御を行うようにしても良い。
【００６４】
なお、ジャミングが、第１マガジン２０ａ若しくは第２マガジン２０ｂから、引出ローラ対２３ａ若しくは引出ローラ対２３ｂによって感光性記録紙３４の先端部を引き出す動作の際、又は引き出された感光性記録紙３４の先端部をカッタ３５若しくはカッタ３６で切断する作業の際に発生した場合には、前述したジャム処理用制におけるステップ２１２からステップ２１８までの処理だけを行うようにしても良い。
【００６５】
なお、本発明は、上述した実施の形態に限定されるものではなく、例えば、フィルムからの投影光で直接画像を記録するタイプのプリンタプロセサ等に適用できることは勿論である。
【図面の簡単な説明】
【００６６】
【図１】本発明の実施の形態に係わるディジタルラボシステム用の出力機の要部を示す概略斜視図である。
【図２】本発明の実施の形態に係わるディジタルラボシステム用出力機のレーザプリンタ部内部の構成を示す拡大概略構成図である。
【図３】本発明の実施の形態に係わるディジタルラボシステム用出力機のレーザプリンタ部におけるジャム検出手段の概略構成を示すブロック図である。
【図４】本発明の実施の形態に係わるディジタルラボシステム用出力機のレーザプリンタ部におけるジャム検出手段の制御動作の流れを示すフローチャートである。
【符号の説明】
【００６７】
１０  出力機
１４  プロセッサ部
１６  搬送路
１７  制御部
１９  搬送ローラ対
２０ａ      第１マガジン
２０ｂ      第２マガジン
２１  カッタ搬送部
２３ａ      引出ローラ対
２３ｂ      引出ローラ対
３１ａ      アクチェータセンサ
３３ａ      投受光センサ
３４  感光性記録紙
３５  カッタ
３６  カッタ
３７  アクチェータセンサ
３９  投受光センサ
４１  アクチェータセンサ
４４  副走査ローラ対
４６  副走査ローラ対
４７  投受光センサ
５１  投受光センサ
５３  投受光センサ
５５  投受光センサ
５７  投受光センサ
１１０      エラー表示装置
【図１】
2006027056.tif 000003
【図２】
2006027056.tif 000004
【図３】
2006027056.tif 000005
【図４】
2006027056.tif 000006